(57)【要約】  撮影場所に関して地図情報取得部より情報を取得し、取得した位置に関する情報を映像情報と多重化して記録媒体へ記録する。再生時に分離した位置に関する情報を映像へ重畳して表示することで、表示・非表示の切り替えが可能となる。また、操作部より位置に関する情報を入力し、それに対応する時刻を多重化したファイルから取り出すことにより、特定の位置を撮影した部分から再生を開始することが可能となる。これにより、本発明は、撮影した場所に関する情報を映像とともに記録し、かつその場所に関する情報の表示・非表示を切り替え可能であることを目的とする。また、場所に関する情報を基にして、再生の制御を行うことを目的とする。
2010047332.tif 000002
【特許請求の範囲】
【請求項１】
映像を撮影する映像撮影部と、
自端末の位置を含む位置情報を取得する位置情報取得部と、
前記位置情報取得部により取得された位置情報に対応する地図情報を取得する地図情報取得部と、
前記映像撮影部で撮影した映像と、前記地図情報取得部で取得した地図情報とをコンテンツデータとして、映像を撮影した時刻又は地図情報を取得した時刻に対応づけて多重化する多重化部と、
前記多重化部により多重化されたコンテンツデータを記録する記録部と、
を備えることを特徴とする撮影装置。
【請求項２】
前記位置情報取得部は、自端末の位置と併せて自端末の向きを位置情報として取得し、
前記地図情報取得部は、前記位置情報に含まれる自端末の位置と、自端末の向きとに基づいて地図情報を取得することを特徴とする請求項１に記載の撮影装置。
【請求項３】
前記地図情報取得部は、前記位置情報と併せて、前記映像撮影部により撮影された映像の撮影条件に基づいて地図情報を取得することを特徴とする請求項１又は２に記載の撮影装置。
【請求項４】
位置情報と、地図情報とを対応して記憶する地図情報データベース部を更に備え、
前記地図情報取得部は、前記位置情報取得部により取得された位置情報に対応する地図情報を、前記地図情報データベースから読み出して取得することを特徴とする請求項１から３の何れか一項に記載の撮影装置。
【請求項５】
地図情報を提供する地図情報提供装置と通信を行う通信部を更に備え、
前記地図情報取得部は、前記位置情報取得部により取得された位置情報に対応する地図情報を、前記通信部を介して地図情報提供装置から取得することを特徴とする請求項１から３の何れか一項に記載の撮影装置。
【請求項６】
音声を入力する音声入力部を更に備え、
前記多重化部は、前記映像撮影部で撮影した映像と、前記地図情報取得部で取得した地図情報と、前記音声入力部により入力された音声とをコンテンツデータとして多重化することを特徴とする請求項１から５の何れか一項に記載の撮影装置。
【請求項７】
検索語を入力する入力部を更に有し、
前記入力部により入力された検索語に一致する地図情報を、前記多重化部により多重化されたコンテンツデータに含まれる地図情報から検索する制御を行う検索制御部と、
前記検索制御部により検索された地図情報に対応する映像を出力する映像出力部と、
を更に備えることを特徴とする請求項１から６の何れか一項に記載の撮影装置。
【請求項８】
映像を撮影する映像撮影装置を備えるコンピュータに、
自端末の位置を含む位置情報を取得する位置情報取得機能と、
前記位置情報取得機能により取得された位置情報に対応する地図情報を取得する地図情報取得機能と、
前記映像撮影装置で撮影した映像と、前記地図情報取得機能で取得した地図情報とをコンテンツデータとして、映像を撮影した時刻又は地図情報を取得した時刻に対応づけて多重化する多重化機能と、
前記多重化機能により多重化されたコンテンツデータを記録する記録機能と、
を実現させるためのプログラム。
【発明の詳細な説明】
【技術分野】
【０００１】
本発明は、撮影装置及びプログラムに関する。
【背景技術】
【０００２】
従来、撮影時に撮影場所に関わる情報を映像とともに記録する技術については、例えば特許文献１に記載されている。この文献では自己の位置を取得するＧＰＳ受信装置を有し、装置内部の地図情報データベースから自己位置に応じた場所名を取得し、映像に文字情報をスーパーインポーズして記録する装置が記載されている。
【先行技術文献】
【特許文献】
【０００３】
【特許文献１】特許第３１０９１３０号公報
【発明の概要】
【発明が解決しようとする課題】
【０００４】
しかしながら、特許文献１の技術においては、自己位置に関する情報を映像情報として記録するため、撮影した被写体が重畳した文字情報により見えなくなってしまうことがあった。【０００５】
また、特許文献１の技術では、撮影したコンテンツを通常に再生して、現在再生している場所名を知ることは可能であるが、複数のコンテンツから特定の場所名が記録されているコンテンツを選択したり、コンテンツ中で特定の場所名で検索をおこない、その場所を記録した部分から再生させるといったことは困難であった。【０００６】
上述した課題に鑑み本発明が目的とするところは、必要に応じて位置情報の表示・非表示をユーザが切り替え可能であること、位置情報により特定のシーンの再生を可能にする撮影装置等を提供することを目的とする。
【課題を解決するための手段】
【０００７】
上述した課題を解決するために、本発明の撮影装置は、映像を撮影する映像撮影部と、自端末の位置を含む位置情報を取得する位置情報取得部と、前記位置情報取得部により取得された位置情報に対応する地図情報を取得する地図情報取得部と、前記映像撮影部で撮影した映像と、前記地図情報取得部で取得した地図情報とを関連づけてコンテンツデータとして、映像を撮影した時刻又は地図情報を取得した時効に対応付けて多重化する多重化部と、前記多重化部により多重化されたコンテンツデータを記録する記録部と、を備えることを特徴とする。【０００８】
また、本発明の撮影装置において、前記位置情報取得部は、自端末の位置と併せて自端末の向きを位置情報として取得し、前記地図情報取得部は、前記位置情報に含まれる自端末の位置と、自端末の向きとに基づいて地図情報を取得することを特徴とする。【０００９】
また、本発明の撮影装置において、前記地図情報取得部は、前記位置情報と併せて、前記映像撮影部により撮影された映像の撮影条件に基づいて地図情報を取得することを特徴とする。【００１０】
また、本発明の撮影装置は、位置情報と、地図情報とを対応して記憶する地図情報データベース部を更に備え、前記地図情報取得部は、前記位置情報取得部により取得された位置情報に対応する地図情報を、前記地図情報データベースから読み出して取得することを特徴とする。【００１１】
また、本発明の撮影装置は、地図情報を提供する地図情報提供装置と通信を行う通信部を更に備え、前記地図情報取得部は、前記位置情報取得部により取得された位置情報に対応する地図情報を、前記通信部を介して地図情報提供装置から取得することを特徴とする。【００１２】
また、本発明の撮影装置は、音声を入力する音声入力部を更に備え、前記多重化部は、前記映像撮影部で撮影した映像と、前記地図情報取得部で取得した地図情報と、前記音声入力部により入力された音声とをコンテンツデータとして多重化することを特徴とする。【００１３】
また、本発明の撮影装置は、検索語を入力する入力部を更に有し、前記入力部により入力された検索語に一致する地図情報を、前記多重化部により多重化されたコンテンツデータに含まれる地図情報から検索する制御を行う検索制御部と、前記検索制御部により検索された地図情報に対応する映像を出力する映像出力部と、を更に備えることを特徴とする。【００１４】
本発明のプログラムは、映像を撮影する映像撮影装置を備えるコンピュータに、自端末の位置を含む位置情報を取得する位置情報取得機能と、前記位置情報取得機能により取得された位置情報に対応する地図情報を取得する地図情報取得機能と、前記映像撮影装置で撮影した映像と、前記地図情報取得機能で取得した地図情報とをコンテンツデータとして、映像を撮影した時刻又は地図情報を取得した時刻に対応づけて多重化する多重化機能と、前記多重化機能により多重化されたコンテンツデータとを記録する記録機能と、を実現させることを特徴とする。
【発明の効果】
【００１５】
本発明によれば、自端末の位置を含む位置情報に基づいて取得された地図情報と、撮影された映像とをコンテンツデータとして、映像を撮影した時刻又は地図情報を取得した時刻に対応づけて多重化し、記録する事となる。したがって、当該コンテンツデータの映像を再生する場合に、地図情報を合わせてコンテンツから取得し、映像の任意の位置に重畳して表示することが可能となる。【００１６】
また、本発明によれば、自端末に位置と併せて自端末の向きを位置情報として取得し、地図情報は自端末の位置及び向きに基づいて地図情報を取得することとなる。したがって、映像として記録されている方向の地図情報を取得するといったことが可能となる。【００１７】
また、本発明によれば、位置情報と併せて撮影条件に基づいて地図情報を取得するといった事ができる。したがって、自端末の向きの中から映像として映っているものが複数あっても、より適切な地図情報を取得することが可能となる。【００１８】
また、本発明によれば、位置情報を取得する場合に地図情報データベース部から読み出して取得することが出来るようになる。【００１９】
また、本発明によれば、地図情報を地図情報提供装置から取得することができるようになる。この場合、撮影装置に地図情報を記録しておく必要がなくなる。【００２０】
また、本発明によれば、検索語を入力し、複数のコンテンツから検索語を含むコンテンツを抽出することにより、地図情報に関連するコンテンツを特定したり、コンテンツ中で検索語の記録されている撮影時刻より再生位置を決定することにより、地図情報に関連する映像を出力することが出来るようになる。したがって、複数のコンテンツから所望するコンテンツを選択すること及びコンテンツデータの中から、所望する再生位置をより適切に決定することが出来るようになる。
【図面の簡単な説明】
【００２１】
【図１】本実施形態における撮影装置の機能構成を説明する為の図である。
【図２】本実施形態における地図データのデータ構成の一例を示す図である。
【図３】本実施形態におけるコンテンツデータのデータ構成の一例を示す図である。
【図４】本実施形態におけるコンテンツデータ記録処理について説明するための図である。
【図５】本実施形態におけるコンテンツデータ再生処理について説明するための図である。
【図６】本実施形態における動作例を説明するための図である。
【図７】本実施形態における動作例を説明するための図である。
【図８】本実施形態における動作例を説明するための図である。
【発明を実施するための形態】
【００２２】
以下添付図面を参照しながら、本発明の実施の形態について説明し、本発明の理解に供する。尚、以下の実施の形態は、本発明を具体化した一例であって、本発明の技術的範囲を限定する性格のものではない。
【００２３】
〔実施の形態〕
［１．機能構成］
図１は、本発明を適用した撮影装置１の機能構成を説明するための図である。図１に示す用に、撮影装置１は、映像撮影部１０２と、音声入力部１０４と、位置情報取得部１０６と、地図情報取得部１０８と、地図情報データベース部１１０と、通信部１１２と、多重化部１１４と、記録媒体インタフェース部１１６と、記録媒体１１８と、操作入力部１２０と、検索制御部１２２と、分離部１２４と、映像出力部１２６と、テキスト出力部１２８と、音声出力部１３０とを備えて構成されている。また、撮影装置１は、通信部１１２を介して地図情報提供装置３と接続されている。
【００２４】
映像撮影部１０２は、撮像機器（例えば、ＣＣＤカメラ）から入力された映像を映像データとして出力する機能部である。映像撮影部１０２で出力される映像データは、情報量の圧縮を行うため、ＭＰＥＧ−４やＨ．２６４などの動画符号化器により符号化された情報であるのが一般的である。
【００２５】
また、映像撮影部１０２により撮影された撮影条件（画角、焦点距離、被写界深度等）が併せて出力されることとなる。地図情報取得部は、撮影条件に基づいて、被写体までの距離を算出することが出来る。なお、本実施形態においては、映像データの一部として撮影条件が出力される（例えば、符号化された映像ビットストリームのユーザデータ部分に撮影条件データを格納する）こととなるが、例えば映像データとは別に撮影データとして出力されることとしても良い。
【００２６】
また、音声入力部１０４は、音声入力機器（例えば、マイク）から入力された音声を、音声データとして出力する機能部である。なお、音声入力部１０４で出力される音声データは、情報量の圧縮を行うため、ＭＰ３（MPEG Audio Layer-3）やＡＡＣ（Advanced Audio Coding）などの音声符号化器により符号化された情報であるのが一般的である。
【００２７】
位置情報取得部１０６は、撮影装置１の位置（自端末の位置）について位置測定機器を利用して取得し、位置情報として出力する機能部である。例えば、ＧＰＳ受信装置を利用することにより、緯度経度を取得する。この緯度経度を位置情報として地図情報取得部１０８や通信部１１２に出力する。また位置情報取得部１０６は、撮影装置１が撮影している方角（向き）を検出し、出力することができる。これにより、例えば「北緯Ａ度東経Ｂ度、撮影方向：北向き」といった位置情報を出力することなる。
【００２８】
地図情報取得部１０８は、位置情報取得部１０６により取得された位置情報や撮影条件に基づいて、地図情報を取得する機能部である。具体的には、地図情報データベース部１１０に記憶されている地図データから、位置情報や撮影条件に対応する地図情報を取得する。ここで、地図情報データベース部１１０は、ＨＤＤ（Hard Disk Drive）やＤＶＤ−ＲＯＭ等の記憶装置、記憶媒体に記憶されている。
【００２９】
ここで、地図情報データベース部１１０に記憶されている地図データの構成の一例を図２に示す。地図情報データベース部１１０は、位置情報として「緯度経度」及び「方角」と、被写体までの「距離」と、「地図情報」とが対応づけられて記憶されている。また、「方角」及び「距離」に関して取得できない場合の情報も記憶されている。
【００３０】
図２を例にとって説明すると、緯度経度として「北緯Ｘ度、東経Ｙ度」しか取得できない場合、地図情報は「ＡＢＣ町」となる。また、更に方角「南」が取得できる場合には、地図情報は「Ｄビル」となる。また、更に被写体までの距離「１０ｍ」が撮影条件から算出できる場合は、地図情報は「Ｃビル」となる。なお、種々の撮影条件（画角、焦点距離及び被写界深度）から、被写体までの距離の算出方法はいずれかの公知の方法を利用するものであり、その詳細な説明は省略する。
【００３１】
ここで、位置情報に対応する地図データが地図情報データベース部１１０に記録されていない場合には、通信部１１２を介して地図情報提供装置３から取得されることとなる。具体的には、位置情報取得部１０６により取得された位置情報に対応する地図データを地図情報提供装置３に問い合わせる。該当する地図データが存在する場合は、地図情報提供装置３から、通信部１１２に送信される。そして、当該地図データは地図情報データベース部１１０に追加・更新記録されることとなる。地図情報取得部１０８は、追加・更新記録された地図データから、対応する地図情報を取得する。
【００３２】
通信部１１２は、地図情報提供装置３から、地図情報（地図データ）を受信するための機能部である。位置情報取得部１０６から位置情報が入力され、地図情報取得部１０８から地図情報提供装置３から取得する制御がなされた場合、通信部１１２を介して地図データが受信されることとなる。
【００３３】
多重化部１１４は、映像撮影部１０２から出力された映像データと、音声入力部１０４から出力された音声データと、地図情報取得部１０８から出力された地図情報とを多重化し、コンテンツデータとして出力する機能部である。コンテンツデータは記録媒体インタフェース部１１６に出力される。
【００３４】
ここで、コンテンツデータについて、図３を用いて説明する。図３は、コンテンツデータ２００の構成を説明するための図である。コンテンツデータ２００には、多重化された映像データに関する情報を記憶する映像ヘッダ２０２と、音声データに関する情報を記憶する音声ヘッダ２０４と、テキストデータに関する情報を記憶するテキストヘッダ２０６と、映像データ、音声データ及びテキストデータを時間推移とともに格納するデータ領域２０８とから構成されている。
【００３５】
各ヘッダには、対応するデータが撮影された時刻（撮影時刻）と、各データがデータ領域２０８のどの位置に格納されているかを指すオフセットアドレスと、当該データの記憶容量（サイズ）が含まれている。これにより、例えばテキストデータが指定されることにより、当該テキストデータに対応するコンテンツデータの位置（撮影時刻）を特定することが出来る。そして、当該コンテンツデータの位置（撮影時刻）よりコンテンツデータを再生することにより、テキストデータに対応する時刻から再生されることとなる。
【００３６】
なお、上述した撮影時刻とは、データが撮影された時刻の他に、地図情報が取得された時刻の場合も含まれる。すなわち、地図情報が取得された時刻を撮影された時刻と判定し、記録することとする。
【００３７】
記録媒体１１８は、多重化部１１４により多重化されたコンテンツデータを記録する。多重化部１１４にて多重化されたコンテンツデータは、記録媒体インタフェース部１１６を介して記録媒体１１８に記録される。記録媒体１１８は、例えば、ＨＤＤ（Hard Disk Drive）等の磁気ディスクや、ＳＤカード等のフラッシュメモリといった記録媒体により構成されている。
【００３８】
操作入力部１２０は、ユーザが操作を入力するための機能部である。例えば、記録や再生に関する操作指示をしたり、後述する検索語を選択したりする機能部である。一例として操作ボタンや、タッチパネル等により構成されている。
【００３９】
検索制御部１２２は、操作入力部１２０により選択された検索語が、コンテンツデータのテキストデータに含まれているか否かを検索する制御をする機能部である。ここで、検索語を選択するとは、ユーザが任意の検索語を入力したり、複数の検索語候補の中から一又は複数の検索語を選択したりすることである。例えば、複数の検索語候補を、映像出力部１２６に出力する。そして、ユーザが操作入力部１２０を操作し、当該出力された検索語の中から一又は複数の検索語が選択する。
【００４０】
分離部１２４は、記録媒体１１８に記録されているコンテンツデータを、映像データ、音声データ及びテキストデータに分離するための機能部である。各データが分離された後に、映像データは映像出力部１２６に、音声データは音声出力部１３０に、テキストデータはテキスト出力部１２８にそれぞれ出力される。
【００４１】
映像出力部１２６は、分離部１２４から入力された映像データを映像表示装置（例えば、液晶ディスプレイ）に出力するための機能部である。また、音声出力部１３０は、分離部１２４から入力された音声データを音声出力装置（例えば、スピーカ）に出力するための機能部である。
【００４２】
テキスト出力部１２８は、分離部１２４から入力されたテキストデータを映像表示装置に出力するための機能部である。本実施形態におけるテキストデータとは、主に地図情報をいう。ここで、テキストデータが出力される場合は、映像出力部１２６において、映像データと合成され、映像とテキストが重畳された状態で出力されることとなる。
【００４３】
［２．処理の流れ］
続いて、撮影装置１の処理の流れについて、図を用いて説明する。
【００４４】
［２．１  コンテンツデータ記録処理］
まず、コンテンツデータを記録する処理について図４を用いて説明する。映像撮影部１０２及び音声入力部１０４から映像及び音声が入力されると（ステップＳ１００）、映像データ及び音声データとして多重化部１１４に出力される。
【００４５】
つづいて、撮影装置１（自端末）の位置情報について、位置情報取得部１０６により取得する位置情報取得処理が実行される（ステップＳ１０２）。ここで、本実施形態においては、映像装置に接続されているＧＰＳ受信装置により自端末の位置（緯度経度）が取得される。
【００４６】
つづいて、位置情報に対応する地図データが地図情報データベース部１１０に記憶されているか否かを判定する（ステップＳ１０４）。ここで、位置情報に対応する地図データが無い場合には、当該位置情報に対応する地図データを、通信部１１２を介して地図情報提供装置３から取得する（ステップＳ１０４；Ｎｏ→ステップＳ１０６）。また、ここで撮影条件が取得できる場合は、位置情報及び撮影条件に基づいて地図情報を取得することとなる。
【００４７】
つづいて、上記地図データから、地図情報をテキストデータとして取得する（ステップＳ１０８）。そして、ステップＳ１００により出力された映像データ及び音声データと、ステップＳ１０８により出力された地図情報の含まれるテキストデータとを映像データが撮影された時刻（又は地図情報が取得された時刻）に対応づけて多重化部１１４が多重化し、記録媒体インタフェース部１１６を介して記録媒体１１８にコンテンツデータとして記録する（ステップＳ１１０）。
【００４８】
そして、記録終了であれば、コンテンツデータ記録処理を終了し（ステップＳ１１２；Ｙｅｓ）、まだ記録を続ける場合はステップＳ１００から処理を繰り返し実行する（ステップＳ１１２；Ｎｏ→ステップＳ１００）。
【００４９】
［２．２  コンテンツデータ再生処理］
つづいて、記録媒体１１８に記録されているコンテンツデータを再生する処理について図５を用いて説明する。コンテンツデータ再生処理は、記録媒体１１８に記録されているコンテンツデータから、再生したいコンテンツデータが選択された場合に実行される処理である。
【００５０】
まず、操作入力部１２０より、検索語が選択されたか判定する（ステップＳ２０２）。ここで、検索語を選択する方法としては、ユーザが操作入力部１２０により任意の言葉が入力することとしても良いし、検索語候補の中から一の検索語が選択することとしても良い。
【００５１】
検索語が選択されると（ステップＳ２０２；Ｙｅｓ）、コンテンツデータに含まれるテキストデータに検索語が含まれているか否かを判定する（ステップＳ２０４）。具体的には、多重化されたデータを分離し、テキストデータを抽出する。そして、抽出されたテキストデータに、検索語が含まれているか否かを検索する。ここで、検索語にテキストデータが含まれている場合には（ステップＳ２０４；Ｙｅｓ）、テキストデータに対応して、再生位置（時刻）が決定される（ステップＳ２０６）。
【００５２】
そして、コンテンツデータを分離部１２４により、映像データ、音声データ及びテキストデータに分離され（ステップＳ２１０）、ステップＳ２０６により決定された再生位置に基づいて、映像データが映像出力部１２６に、音声データが音声出力部１３０に、それぞれ出力される（ステップＳ２１２）。すなわち、コンテンツデータ２００を参照し、上述したコンテンツデータに対応づけられた再生時刻に基づいて再生位置が決定されることとなる。
【００５３】
なお、ステップＳ２０２において、検索語が選択されない場合や（ステップＳ２０２；Ｎｏ）、検索語が選択されたが、テキストデータに検索語が含まれていない場合には（ステップＳ２０４；Ｎｏ）、再生位置として所定の位置（例えば、コンテンツデータの最初の位置であったり、中断位置であったり）の再生位置が決定される（ステップＳ２０８）。
【００５４】
ここで、テキストデータ（地図情報）を表示する設定になっていた場合（ステップＳ２１４；Ｙｅｓ）、現在の再生位置（時刻）に対応する撮影時刻にテキストデータが記録されているか否かを判定する（ステップＳ２１６）。ここで、テキストデータが記録されている場合には（ステップＳ２１６；Ｙｅｓ）、テキストデータをテキスト出力部１２８に出力する。テキスト出力部１２８は、映像出力部１２６により出力されている映像に、重畳してテキストデータを表示する処理を実行する（ステップＳ２１８）。
【００５５】
そして、コンテンツデータの再生が終了した場合には（ステップＳ２２０；Ｙｅｓ）、再生停止処理をして本処理を終了する（ステップＳ２２２）。他方、コンテンツデータの再生を終了しない場合には（ステップＳ２２０；Ｎｏ）、ステップＳ２１０から処理を繰り返し実行する。
【００５６】
［３．動作例］
続いて、本実施形態における動作例について説明する。図６は、撮影装置１を持った撮影者Ｐ１００と、撮影者が向いている（撮影装置１が撮影をしている）方向Ｐ１０２を示している。図６は用紙上側が北を示している。
【００５７】
ここで、撮影者Ｐ１００の北方向にはＡビルが、北東方向にはＢビルが、南方向にはＣビル及びＤビルが、南東方向にはＥビルが存在している。
【００５８】
このとき、撮影者Ｐ１００の位置情報が（北緯Ｘ度、東経Ｙ度）であり、方向Ｐ１０２は「北」である。ここで、当該位置に対応する地図情報を、図２に示した地図情報データベース部１１０から読み出すと「Ａビル」となる。したがって、撮影装置１は、Ａビルの映像に対応づけて地図情報「Ａビル」がテキストデータとして記録される。
【００５９】
図７は、撮影したＡビルを再生した場合の表示画面Ｗ１００の一例を示す図である。表示画面Ｗ１００には、Ａビルの映像とともに、テキストデータ（地図情報）として、「Ａビル」と領域Ｒ１００に表示されている。ここで、地図情報に関してはユーザにより表示及び非表示を切り替えることが可能である。
【００６０】
また、図８は、図６において撮影者が方向Ｐ１０４（南側）を向いている場合について説明する図である。このとき、映像撮影部１０２が撮影している範囲はＰ１０６である。このときの撮影条件（画角、焦点距離及び被写界深度）から、現在撮影している被写体の距離を算出することができる。例えば、このときの被写体の距離が「１０ｍ」前後と算出された場合、地図情報は「Ｃビル」が取得される（図２参照）。
【００６１】
［４．変形例］
上述した実施形態においては、本発明を適用した撮影装置を説明したが、撮影装置として適用できるものは種々の装置に適用可能である。即ち、ビデオカメラ等の通常の撮影装置以外にも、カメラ付き携帯電話やＰＤＡ、カメラを接続したコンピュータ等の種々の電子機器に適用可能なことは勿論である。
【００６２】
また、上述した実施形態においては、地図情報データベース部１１０を有することとして説明したが、撮影装置１に地図情報データベース部１１０を備えず、位置情報に対応する地図情報をその都度地図情報提供装置３から取得することとしても良い。この場合、データベースを保持する必要がなくなるため、データベース分の記憶容量を確保する必要が無くなる。また、地図情報提供装置３から、最新のデータを取得することが可能となり、撮影した画像と、地図情報の不一致を防止することができ、常に正しい地名・建物名などを取得することが可能となる。
【００６３】
また、上述した実施形態においては、地図データに「距離」を含むこととして説明したが、緯度経度から地図情報を取得してもよい。すなわち、被写体迄の距離と、撮影装置の緯度、経度、方角より、被写体の緯度、経度を算出する。そして、当該算出された緯度、軽度に該当する地図情報を取得することとしても良い。この場合、地図データに「距離」に関する情報を記憶する必要は無い。
【符号の説明】
【００６４】
１  撮影装置
１０２  映像撮影部
１０４  音声入力部
１０６  位置情報取得部
１０８  地図情報取得部
１１０  地図情報データベース部
１１２  通信部
１１４  多重化部
１１６  記録媒体インタフェース部
１１８  記録媒体
１２０  操作入力部
１２２  検索制御部
１２４  分離部
１２６  映像出力部
１２８  テキスト出力部
１３０  音声出力部
３  地図情報提供装置
【図１】
2010047332.tif 000003
【図２】
2010047332.tif 000004
【図３】
2010047332.tif 000005
【図４】
2010047332.tif 000006
【図５】
2010047332.tif 000007
【図６】
2010047332.tif 000008
【図７】
2010047332.tif 000009
【図８】
2010047332.tif 000010
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
動画像を撮影する映像撮影部と、
自端末の位置を含む位置情報を取得する位置情報取得部と、
前記位置情報取得部により取得された位置情報に対応する地図情報を取得する地図情報取得部と、
前記動画像と、前記動画像に対応づけられた地図情報とを含むコンテンツデータを記録する記録部と、
を備えることを特徴とする撮影装置。
【請求項２】
前記位置情報取得部は、自端末の位置と併せて自端末の向きを位置情報として取得し、
前記地図情報取得部は、前記位置情報に含まれる自端末の位置と、自端末の向きとに基づいて地図情報を取得することを特徴とする請求項１に記載の撮影装置。
【請求項３】
前記地図情報取得部は、前記位置情報と併せて、前記映像撮影部により撮影された映像の撮影条件に基づいて地図情報を取得することを特徴とする請求項１又は２に記載の撮影装置。
【請求項４】
位置情報と、地図情報とを対応して記憶する地図情報データベース部を更に備え、
前記地図情報取得部は、前記位置情報取得部により取得された位置情報に対応する地図情報を、前記地図情報データベースから読み出して取得することを特徴とする請求項１から３の何れか一項に記載の撮影装置。
【請求項５】
地図情報を提供する地図情報提供装置と通信を行う通信部を更に備え、
前記地図情報取得部は、前記位置情報取得部により取得された位置情報に対応する地図情報を、前記通信部を介して地図情報提供装置から取得することを特徴とする請求項１から３の何れか一項に記載の撮影装置。
【請求項６】
前記動画像と、前記動画像に対応づけられた地図情報とをコンテンツデータとして多重化する多重化部を更に備え、
前記記録部は、前記多重化部により多重化されたコンテンツデータを記録することを特徴とする請求項１に記載の撮影装置。
【請求項７】
前記多重化部は、前記動画像と、前記動画像に対応づけられた地図情報とをコンテンツデータとして多重化する場合に、当該動画像を取得した時刻又は当該地図情報を取得した時刻に対応づけて多重化することを特徴とする請求項６に記載の撮影装置。
【請求項８】
音声を入力する音声入力部を更に備え、
前記多重化部は、前記動画像と、前記動画像に対応づけられた地図情報と、前記音声入力部により入力された音声とをコンテンツデータとして多重化することを特徴とする請求項６又は７に記載の撮影装置。
【請求項９】
前記位置情報取得部は、前記記録部がコンテンツデータを記録するときに位置情報を取得することを特徴とする請求項１から８の何れか一項に記載の撮影装置。
【請求項１０】
請求項１から９の撮影装置において記録されたコンテンツデータに基づいて、動画像又は音声を出力する出力部を備えた出力装置において、
前記出力部は、地図情報に対応する動画像又は音声を出力することを特徴とすることを特徴とする出力装置。
【請求項１１】
検索語を入力する入力部と、
前記入力部により入力された検索語に一致する地図情報を、コンテンツデータに含まれる地図情報から検索する制御を行う検索制御部と、
を更に有し、
前記出力部は、前記検索制御部により検索された地図情報に対応する動画像又は音声を出力することを特徴とする請求項１０に記載の出力装置。
【請求項１２】
前記出力部は、前記検索語が前記コンテンツデータに含まれていない場合には、コンテンツデータの所定位置から動画像又は音声を出力することを特徴とする請求項１１に記載の出力装置。
【請求項１３】
前記出力部は、前記動画像又は音声を出力する場合に、当該動画像又は音声に対応づけられた地図情報を重畳して出力することを特徴とする請求項１０から１２の何れか一項に記載の出力装置。
【請求項１４】
動画像を取得する動画像取得機能を備えるコンピュータに、
自端末の位置を含む位置情報を取得する位置情報取得機能と、
前記位置情報取得機能により取得された位置情報に対応する地図情報を取得する地図情報取得機能と、
前記動画像と、前記動画像に対応づけられた地図情報とを含むコンテンツデータを記録する記録機能と、
を実現させるためのプログラム。
【請求項１５】
コンテンツデータに基づいて、地図情報に対応する動画像を出力する出力機能を更に備えることを特徴とする請求項１４に記載のプログラム。
【請求項１６】
請求項１から９の何れか一項に記載の撮影装置によって記録されることを特徴とするコンテンツデータ。
【請求項１７】
請求項１４若しくは請求項１５に記載のプログラム及び／又は請求項１６に記載のコンテンツデータが記録された記録媒体。
【請求項１８】
動画像を撮影する映像撮影部を有する撮影装置において、
自端末の位置を含む位置情報を取得する位置情報取得ステップと、
前記位置情報取得部により取得された位置情報に対応する地図情報を取得する地図情報取得ステップと、
前記動画像と、前記動画像に対応づけられた地図情報とを含むコンテンツデータを記録する記録ステップと、
を実現することを特徴とする撮影装置の撮影方法。
【手続補正３】
【補正対象書類名】明細書
【補正対象項目名】０００１
【補正方法】変更
【補正の内容】
【０００１】
本発明は、撮影装置等に関する。
【手続補正４】
【補正対象書類名】明細書
【補正対象項目名】０００７
【補正方法】変更
【補正の内容】
【０００７】
上述した課題を解決するために、本発明の撮影装置は、
動画像を撮影する映像撮影部と、
自端末の位置を含む位置情報を取得する位置情報取得部と、
前記位置情報取得部により取得された位置情報に対応する地図情報を取得する地図情報取得部と、
前記動画像と、前記動画像に対応づけられた地図情報とを含むコンテンツデータを記録する記録部と、
を備えることを特徴とする。
【手続補正５】
【補正対象書類名】明細書
【補正対象項目名】００１２
【補正方法】変更
【補正の内容】
【００１２】
また、本発明の撮影装置は、
前記動画像と、前記動画像に対応づけられた地図情報とをコンテンツデータとして多重化する多重化部を更に備え、
前記記録部は、前記多重化部により多重化されたコンテンツデータを記録することを特徴とする。
また、本発明の撮影装置は、
前記多重化部は、前記動画像と、前記動画像に対応づけられた地図情報とをコンテンツデータとして多重化する場合に、当該動画像を取得した時刻又は当該地図情報を取得した時刻に対応づけて多重化することを特徴とする。
また、本発明の撮影装置は、
音声を入力する音声入力部を更に備え、
前記多重化部は、前記動画像と、前記動画像に対応づけられた地図情報と、前記音声入力部により入力された音声とをコンテンツデータとして多重化することを特徴とする。
【手続補正６】
【補正対象書類名】明細書
【補正対象項目名】００１３
【補正方法】変更
【補正の内容】
【００１３】
また、本発明の撮影装置において、
前記位置情報取得部は、前記記録部がコンテンツデータを記録するときに位置情報を取得することを特徴とする。
本発明の出力装置は、上述の発明にかかる撮影装置において記録されたコンテンツデータに基づいて、動画像又は音声を出力する出力部を備えた出力装置において、
前記出力部は、地図情報に対応する動画像又は音声を出力することを特徴とする。
また、本発明の出力装置は、
検索語を入力する入力部と、
前記入力部により入力された検索語に一致する地図情報を、コンテンツデータに含まれる地図情報から検索する制御を行う検索制御部と、
を更に有し、
前記出力部は、前記検索制御部により検索された地図情報に対応する動画像又は音声を出力することを特徴とする。
また、本発明の出力装置において、前記出力部は、前記検索語が前記コンテンツデータに含まれていない場合には、コンテンツデータの所定位置から動画像又は音声を出力することを特徴とする。
また、本発明の出力装置において、前記出力部は、前記動画像又は音声を出力する場合に、当該動画像又は音声に対応づけられた地図情報を重畳して出力することを特徴とする。
【手続補正７】
【補正対象書類名】明細書
【補正対象項目名】００１４
【補正方法】変更
【補正の内容】
【００１４】
本発明のプログラムは、動画像を取得する動画像取得機能を備えるコンピュータに、
自端末の位置を含む位置情報を取得する位置情報取得機能と、
前記位置情報取得機能により取得された位置情報に対応する地図情報を取得する地図情報取得機能と、
前記動画像と、前記動画像に対応づけられた地図情報とを含むコンテンツデータを記録する記録機能と、
を実現させることを特徴とする。
また、本発明のプログラムは、コンテンツデータに基づいて、地図情報に対応する動画像を出力する出力機能を更に備えることを特徴とする。
本発明のコンテンツデータは、上述の発明の撮影装置によって記録されることを特徴とする。
本発明の記録媒体は、上述の発明のプログラム及び／又はコンテンツデータが記録されたていることを特徴とする。
本発明の撮影装置の撮影方法は、
動画像を撮影する映像撮影部を有する撮影装置において、
自端末の位置を含む位置情報を取得する位置情報取得ステップと、
前記位置情報取得部により取得された位置情報に対応する地図情報を取得する地図情報取得ステップと、
前記動画像と、前記動画像に対応づけられた地図情報とを含むコンテンツデータを記録する記録ステップと、
を実現することを特徴とする。
【国際調査報告】
2010047332.tif 000011
2010047332.tif 000012
2010047332.tif 000013
2010047332.tif 000014